(57)【要約】【課題】  放射線治療装置用の治療台の位置精度を高くする。【解決手段】  治療台の上に、ｘ軸を長手方向とする剛性の高い梁を設置する。その梁の上に、ｘ軸方向に摺動可能な架台を載せ、架台の上に患者が載せられる天板を固定する。天板は、その天板の端部において架台に固定されることにより、片持ち梁の構造となっている。天板と梁との間には、天板に患者が載せられて撓んだときに天板と梁が接触しないように充分な隙間がある。こうした治療台において、患者が載せられると、天板は撓む。そこで患者の表皮に付けられたマーキングを用いた位置合わせが行われる。次いで、天板（架台）が梁に対して移動して、患者が治療位置まで移動させられる。天板は撓んだまま移動されるため、最初に行われた位置合わせからのずれは少ない。【選択図】図２
2006051215.tif 000002
【特許請求の範囲】
【請求項１】
支持台と、
前記支持台の上部に取り付けられ、鉛直方向から見たときに前記支持台との重なりが最も大きい第１位置と前記支持台との重なりが最も小さい第２位置とに配置されることが可能な天板
とを具備し、
前記天板の上に患者が載せられたときの前記天板の撓みの大きさは、前記第１位置と前記第２位置とで同じである
放射線治療装置用治療台。
【請求項２】
放射線治療装置のアイソセンタに対してｙ軸の負方向に設置された支持台と、
前記支持台の上部に、前記ｙ軸方向に摺動可能に設置された支持具と、
前記支持具により片持ち梁として支持された天板
とを具備し、
前記支持台と前記天板との間には、患者が載せられることにより前記天板が撓んだとき、前記天板と前記支持台とが接触しないような隙間がある
放射線治療装置用治療台。
【請求項３】
請求項２に記載された放射線治療装置用治療台であって、
前記支持台の前記ｙ軸の正方向には、前記ｙ軸に平行で前記照射ヘッドのアイソセンタを通る軸を中心軸として照射ヘッドが移動するようにガイドし、前記支持具が前記ｙ軸の正方向に動かされたとき前記天板が中心部へ入るリングが設置されている
放射線治療装置用治療台。
【請求項４】
請求項３に記載された放射線治療装置用治療台であって、
更に、前記リングの外部において前記患者の体表面に位置決めをするためのレーザービームを照射するレーザー装置
を具備する
放射線治療装置用治療台。
【請求項５】
放射線の照射が行われる位置から離れた開始位置において、支持台に支持された架台に片持ち梁として支持された天板に患者を寝載するステップと、
前記開始位置において、前記患者の重量により前記天板が撓んだ状態で、前記患者の体表面のマーキングにより位置決めを行うステップと、
前記天板が撓んだままの状態で、前記天板を前記放射線治療が行われる位置まで移動するステップ
とを具備する
放射線治療装置用治療台の使用方法。
【発明の詳細な説明】
【技術分野】
【０００１】
本発明は、放射線治療装置用治療台及びその使用方法に関する。
【背景技術】
【０００２】
放射線治療装置は、放射線が正確に患部に集中して照射されるように、高い精度が要求される。放射線治療装置用に用いられる治療台にも高い位置精度が求められる。
【０００３】
放射線ビームを、天板上に寝載した患者の病巣部の所望の一点（治療の対象点）に集中させ、かつ該病巣部の回りに回動させて多方向より照射するようにした定位法と呼ばれる放射線照射法を使用する放射線照射装置に係わり、特に、天板の移動時における撓みを防止して天板の高さを一定に保ち、照射する放射線ビームを、常に確実に前記病巣部の所望の一点に集中させるのに好適な放射線治療装置が知られている（特許文献１参照）。
【０００４】
支持柱上に取り付けられたベースフレーム、上記ベースフレーム上に上記ベースフレームの長手方向にスライド移動可能に連結された中間フレーム、上記中間フレーム上に上記中間フレームの長手方向にスライド移動可能に連結された治療寝台となる天板を備え、患者を寝かせた上記天板を治療方向に移動し、放射線照射位置に位置合わせして治療を行う放射線治療台において、上記天板を治療方向に移動させるにともなって、上記天板と上記中間フレームとの第一の連結部、若しくは上記第一の連結部並びに上記中間フレームと上記ベースフレームとの第二の連結部が上記支持柱に近づくよう構成されていることを特徴とする放射線治療台が知られている（特許文献２参照）。
【０００５】
【特許文献１】特開平6−１３４０４１号公報
【特許文献２】特開２００２−２１９１８３号公報
【発明の開示】
【発明が解決しようとする課題】
【０００６】
図１Ａ及び図１Ｂを参照すると、放射線治療装置１０１と治療台１０２の側面図が示されている。治療台１０２は支持台１０３と、支持台１０３の上部に載せられた天板１０４とを備えている。天板１０４は、支持台１０３の上を摺動して放射線治療装置１０１の方へ移動することができる。天板１０４が放射線治療装置１０１の方へ移動した状態が図１Ｂに示されている。
【０００７】
図１Ａに示される、天板１０４の概ね全ての面積が支持台１０３の上に支持されている場合を天板１０４の開始位置と呼ぶことにする。図１Ｂに示される、天板１０４が開始位置から移動され一部が放射線治療装置１０１の内部に入っている場合を天板１０４の治療位置と呼ぶことにする。治療位置において、天板１０４は片側だけを支持台１０２に支持される片持ち梁の状態となり、図１Ｂに示されるΔＨだけ下方に撓む。そのため、例えば患者の体表面に描かれたマーキング１０５を用いて開始位置で患者の位置を位置合わせしても、治療位置においては撓みの分だけずれてしまうという問題がある。
【０００８】
図１Ｂに示される状態でマーキングを用いた位置合わせをしようとすると、放射線治療装置１０１が作業の妨げとなり位置合わせが行いにくい。
【０００９】
本発明の目的は、患部の位置合わせが正確に行われる放射線治療装置用の治療台とその使用方法を提供することである。
本発明の他の目的は、患部の位置合わせが行いやすい放射線治療装置用の治療台とその使用方法を提供することである。
【課題を解決するための手段】
【００１０】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１１】
本発明による放射線治療装置用治療台（９）は、支持台（１４）と、支持台（１４）の上部に取り付けられ、鉛直方向から見たときに支持台（１４）との重なりが最も大きい第１位置と支持台（１４）との重なりが最も小さい第２位置とに配置されることが可能な天板（１８）とを備えている。天板（１８）の上に患者（Ｐ）が載せられたときの天板（１８）の撓みの大きさは、第１位置と第２位置とで同じである。
【００１２】
本発明による放射線治療装置用治療台（９）は、放射線治療装置（１）のアイソセンタ（１０）に対してｙ軸の負方向に設置された支持台（１４）と、支持台（１４）の上部に、ｙ軸方向に摺動可能に設置された支持具（１６）と、支持具（１６）により片持ち梁として支持された天板（１８）とを備えている。支持台（１４）と天板（１８）との間には、患者（Ｐ）が載せられることにより天板が撓んだとき、天板（１８）と支持台（１４）とが接触しないような隙間１９がある。
【００１３】
本発明による放射線治療装置用治療台（９）において、支持台（１４）のｙ軸の正方向には、ｙ軸に平行で照射ヘッド（２）のアイソセンタを通る軸を中心軸として照射ヘッド（２）が移動するようにガイドし、支持具（１６）がｙ軸の正方向に動かされたとき天板（１８）が中心部へ入るリング（３）が設置されている。
【００１４】
本発明による放射線治療装置用治療台（９）は、リング（３）の外部において患者（Ｐ）の体表面に位置決めをするためのレーザービームを照射するレーザー装置（２２）を備えている。
【００１５】
本発明による放射線治療装置用治療台（９）の使用方法は、放射線の照射が行われる位置から離れた開始位置において、支持台（１４）に支持された架台（１６）に片持ち梁として支持された天板（１８）に患者（Ｐ）を寝載するステップと、開始位置において、患者（Ｐ）の重量により天板（１８）が撓んだ状態で、患者（Ｐ）の体表面のマーキング（２０）により位置決めを行うステップと、天板（１８）が撓んだままの状態で、天板（１８）を放射線治療が行われる位置まで移動するステップとを備えている。
【発明の効果】
【００１６】
本発明によれば、患部の位置合わせが正確に行われる放射線治療装置用の治療台とその使用方法が提供される。
更に本発明によれば、患部の位置合わせが行いやすい放射線治療装置用の治療台とその使用方法が提供される。
【発明を実施するための最良の形態】
【００１７】
以下、図面を参照しながら本発明による放射線治療装置用治療台について詳細に説明する。
【００１８】
図２を参照すると、治療台９と、放射線治療装置１とが図示されている。放射線治療装置１は、放射線発生装置２を備えている。放射線発生装置２は、可動部材５に搭載されている。放射線治療装置１はガイド３を備えている。ガイド３は周回軌道１５を備えている。可動部材５は、周回軌道１５に沿って移動可能である。この移動は制御装置８により制御されている。
【００１９】
放射線治療装置１は支持部材４を備えている。支持部材４は軸受けを介してガイド３を支持しており、ガイド３はその軸受けの軸４ａの周りに回転可能である。この回転は制御装置８により制御されている。
【００２０】
可動部材５のガイド３に沿った回転運動、及び軸４ａの周りのガイド３の回転運動によって、放射線発生装置２から照射される放射線（Ｘ線など）は、固定点であるアイソセンタ１０に対して様々な方向から照射される。
【００２１】
治療台９は、支持台１２を備えている。支持台１２の上には、支持梁１４が支持されている。支持梁１４は、長手方向（図２に示されるｙ軸方向）に延長するとアイソセンタ１０に向かう方向に設置されている。支持梁１４は、加重に対する撓みの少ない剛な素材により形成されている。支持梁１４は治療に使用されるＸ線などの放射線を透過する必要がないため、こうした剛な材料を選定することは容易である。
【００２２】
支持梁１４の上には、架台１６が設置されている。架台１６は、支持梁１４の長手方向に自在に摺動できる。好ましくは、架台１６と支持梁１４とはリニアガイドにより滑らかに摺動可能である。図２においては、架台１６はアイソセンタ１０から最も遠い側にある状態で描かれている。
【００２３】
架台１６の上には患者Ｐを寝載するための天板１８が固定されている。固定されている場所は、天板１８のうちアイソセンタ１０から最も遠い側の端部である。天板１８と支持梁１４との間には、天板１８に患者が横たわったときに患者の体重によって天板１８が撓んだときに天板１８と支持梁１４とが接触しないように充分な隙間１９がある。
【００２４】
天板１８は、放射線の吸収線量が大きくならないことが求められるため、支持梁１４と比較すると撓みが小さくなるような剛性を持たせることは困難である。
【００２５】
アイソセンタ１０よりもｙ軸の負方向に寄った側には、レーザー発振器２２が取り付けられている。レーザー発振器２２は、レーザーが天板１８の上に寝た患者Ｐの方に向かう向きに固定されている。レーザー発振器２２は、例えばｘ軸に直交する治療台９の両側面の壁と、治療台９の真上の天井とに設置される。
【００２６】
図３を参照すると、治療台９の可動部分が詳細に描かれている。支持台１２はｚ軸ガイド２４により、床面に対してｚ軸方向（鉛直方向）に摺動可能である。支持台１２に対して支持梁１４は、ｘ軸ガイド２６によりｘ軸方向（ｙ軸及びｚ軸に直交する方向）に摺動可能である。支持梁１４に対して架台１６及び天板１８は、ｙ軸ガイド２８によりｙ軸方向に摺動可能である。ｘ軸ガイド２６、ｙ軸ガイド２８、及びｚ軸ガイド２４は制御装置８により制御されている。好ましくは、ｘ軸ガイド２６、ｙ軸ガイド２８、及びｚ軸ガイド２４はリニアベアリング（リニアガイド）である。
【００２７】
こうした放射線治療装置１と治療台９とは、以下のように動作する。
【００２８】
図２に示されるように架台１６が支持梁１４のｙ軸負方向の端部にある状態で、体表面にマーキング２０を付けられた患者Ｐが天板１８の上に横たわる。天板１８は、患者Ｐの体重により撓む。隙間１９があることにより、天板１８は撓んでも支持梁１４に接触しない。
【００２９】
レーザー発振器２２により患者Ｐにレーザーが照射される。オペレータは、制御装置８を介してｘ軸ガイド、ｙ軸ガイド２８、及びｚ軸ガイド２４を操作して、レーザーによる体表面のスポットがマーキング２０と一致するように、天板１８の位置を調節する。この調整は、患者Ｐがリング３から離れた広い作業場所で行われるために、患者Ｐ、マーキング２０、及びレーザーのスポットが視認しやすく、作業効率が良い。
【００３０】
ｙ軸ガイド２８により、天板１８がアイソセンタ１０に近づけられ、その結果、患部がアイソセンタ１０に近づけられる。図４を参照すると、患部がアイソセンタ１０に位置しているときの治療台９と放射線治療装置１とが示されている。天板１８は、図２の場合と同じく架台１６により端部において支えられている。従って、天板１８の撓みの大きさは、患者Ｐが治療台９に載ったとき（開始位置）と、患者Ｐが放射線治療を受ける位置（治療位置）になるまで天板１８が引き出されたときとで同じである。架台１６を支持する支持梁１４は剛性が高いため、撓みはごく小さい。例えば０．１ｍｍのオーダーである。更に支持梁１４の撓みを小さくするためには、柱により支持梁１４を床面に固定することが好ましい。
【００３１】
開始位置と治療位置とで天板１８の撓みの大きさが変わらないことにより、開始位置におけるマーキング２０を用いた位置合わせに狂いが生じることなく患者Ｐは治療位置まで移動する。そのため、治療のための位置合わせが正確かつ迅速にできる。
【００３２】
好ましくは、ｘ軸ガイド２６、ｙ軸ガイド２８、及びｚ軸ガイド２４が取り付けられている個所には各々、デジタルスケールが設置され、治療台９のｘ軸、ｙ軸、及びｚ軸の座標が数十μ程度の精度で正確に測定される。さらに、放射線治療装置１はレーザー発振器２２に対して正確に位置決めされたレーザー発振器（図示せず）を備える。両者のレーザー発振器２２の相対的な位置関係は正確に測定されている。こうした場合、開始位置でマーキング２０とレーザーのスポットとが合う位置が定点とされ、その定点は、数十μ程度の精度で正確に測定される。この定点からデジタルスケールで位置を測定しながら天板１８をアイソセンタ１０の方へ伸ばすことにより、正確に患部がアイソセンタに位置付けられる。
【図面の簡単な説明】
【００３３】
【図１Ａ】図１Ａは、天板の撓みを説明するための図である。
【図１Ｂ】図１Ｂは、天板の撓みを説明するための図である。
【図２】図２は、放射線治療装置と治療台を示す。
【図３】図３は、治療台の可動部分を示す。
【図４】図４は、放射線治療装置と治療台を示す。
【符号の説明】
【００３４】
１…放射線治療装置
２…放射線発生装置
３…ガイド
４…支持部材
５…可動部材
７…解析装置
８…制御装置
１０…アイソセンタ
１２…支持台
１４…支持梁
１６…架台
１８…天板
１９…隙間
２０…マーキング
２２…レーザー発振器
２４…ｚ軸ガイド
２６…ｘ軸ガイド
２８…ｙ軸ガイド
【図１Ａ】
2006051215.tif 000003
【図１Ｂ】
2006051215.tif 000004
【図２】
2006051215.tif 000005
【図３】
2006051215.tif 000006
【図４】
2006051215.tif 000007